(57)【要約】【課題】ドレンパンを深くすることなく、ドレン水の水面の波打ちをなくし、ドレン水の機外への飛び出しをなくすことができる天井設置型空気調和装置を提供する。【解決手段】天井空間に設置され吸い込み口１４と吹き出し口１５を有する通風路、この通風路内の上記吸い込み口と吹き出し口との中間部に設けられた送風機２、この送風機の吹き出し口側に設けられた熱交換器３、及びこの熱交換器の下部に位置する上記通風路の底板１３の下方に設けられたドレンパン４を備え、上記底板１３は、その一部が上側に凸形状の突出部１８Ａとされ、上記突出部の立ち上り部に上記ドレンパンに通ずる孔１９Ａを設けた構成とする。【選択図】　　　　図１
2004144309.tif 000002
【特許請求の範囲】
【請求項１】
天井空間に設置され吸い込み口と吹き出し口を有する通風路、この通風路内の上記吸い込み口と吹き出し口との中間部に設けられた送風機、この送風機の吹き出し口側に設けられた熱交換器、及びこの熱交換器の下部に位置する上記通風路の底板の下方に設けられたドレンパンを備え、上記底板は、その一部が上側に凸形状の突出部とされ、上記突出部の立ち上り部に上記ドレンパンに通ずる孔を設けたことを特徴とする天井設置型空気調和装置。
【発明の詳細な説明】
【０００１】
【発明の属する技術分野】
この発明は、天井設置型空気調和装置、特にそのドレン水の排出部の構成に関するものである。
【０００２】
【従来の技術】
図５は、従来の天井設置型空気調和装置の構成を示す概略図で、（ａ）は全体構成を示すものであり、（ｂ）はドレンパン部分を示すものである。
図５（ａ）において、１は天井空間に設置される空気調和装置の本体で、天板１１と側板１２と底板１３とから構成され、一端側（図において左端）に設けられた吸い込み口１４と、他端側（図において右端）に設けられた吹き出し口１５を有し、被空調空間（図示せず）からの空気１６と、熱交換して上記被空調空間に供給される空気１７の通風路を形成している。
【０００３】
２は本体１の通風路内で吸い込み口１４と吹き出し口１５との間に設けられた送風機、２１は送風機２を固定する送風機台、３は通風路内で送風機２と吹き出し口１５との間に設けられた熱交換器、１８は熱交換器３の下部に位置する底板１３の機械的強度を増すために形成された下側に凸形状の突出部、１９は突出部１８の底面に形成された複数個の孔で、熱交換器３によって凝縮されたドレン水３１を下方に落下排出させるためのものである。４は熱交換器３の下方で、かつ突出部１８が形成された底板１３の下方に設けられ、孔１９から落下するドレン水を貯留するドレンパン、４１はドレンパンに設けられた排水口であるが、通常はこの排水口を閉塞し、後述するような適宜のドレンポンプによってドレン水を吸い上げ、ドレンポンプに結合されたドレン配管によって外部に排出するようにしている。
【０００４】
【発明が解決しようとする課題】
従来の天井設置型空気調和装置は以上のように構成されているため、吸い込み口１４から吸い込まれた被空調空間の空気１６は熱交換器３によって熱交換され、熱交換後の空気１７が吹き出し口１５から被空調空間に吹き出される。
その際、熱交換器３で凝縮されたドレン水３１は底板１３の突出部１８の底部に設けられた孔１９を経て落下排出され、ドレンパン４に貯留される。一方、突出部１８の孔１９からは送風機２から吹き出された風速の速い風もドレン水３１と共にドレンパン４内に吹き込まれているため、ドレンポンプの運転から停止時におけるドレン配管内の戻り水あるいは据付け時に設定されたドレンパン４の勾配によってドレンパン４内のドレン水の水位が上がり、その水位が突出部１８の底面に近づくと、孔１９から吹き込まれる風によってドレン水の水面が図５（ｂ）に示すように波打ち、符号４２で示すように、ドレンパンの端部からドレン水が機外に飛び出すという問題点があった。
【０００５】
この問題点を解決するためには、ドレンパン４の深さを深くすればよいが、この結果、空気調和装置本体１の高さが高くなり、天井空間内の限られた高さの部分に設置しにくくなるという別の問題点があった。
この発明は、このような問題点に対処するためになされたもので、ドレンパンを深くすることなく、上記の問題点を解決することができる天井設置型空気調和装置を提供することを目的とする。
【０００６】
【課題を解決するための手段】
この発明に係る天井設置型空気調和装置は、天井空間に設置され吸い込み口と吹き出し口を有する通風路、この通風路内の上記吸い込み口と吹き出し口との中間部に設けられた送風機、この送風機の吹き出し口側に設けられた熱交換器、及びこの熱交換器の下部に位置する上記通風路の底板の下方に設けられたドレンパンを備え、上記底板は、その一部が上側に凸形状の突出部とされ、上記突出部の立ち上り部に上記ドレンパンに通ずる孔を設けたものである。
【０００７】
【発明の実施の形態】
実施の形態１．
以下、この発明の実施の形態１を図にもとづいて説明する。図１は、実施の形態１の構成を示す概略図で、（ａ）は全体構成を示すものであり、（ｂ）はドレンパン部分を示すものである。
これらの図において、図５と同一または相当部分にはそれぞれ同一符号を付して説明を省略する。図５と異なる点は、熱交換器３の下部に位置する底板１３に形成された突出部１８Ａが上側に凸形状とされ、孔１９Ａが突出部１８Ａの立ち上り部に形成されている点である。
このような構成とすることにより、孔１９Ａの位置が従来装置に比して高くなり、ドレン水の水面との距離が大きくなるため、ドレンパン４のドレン水の水位が従来装置で波打ちが生じ、ドレン水が機外に飛び出していたレベルと同程度になっても、孔１９Ａから吹き込まれる風によってドレン水の水面が波打つことはなく、従ってドレン水が機外に飛び出すこともなくなる。
【０００８】
実施の形態２．
次に、この発明の実施の形態２を図にもとづいて説明する。図２は、実施の形態２の構成を示す概略図で、天井設置型空気調和装置のドレンパンにドレン水排出用のドレンポンプ装置を設けたものである。図２（ａ）は熱交換された空気の吹き出し方向に対して本体の右側面にドレンポンプ装置を設置した状態を示し、（ｂ）は同じく左側面に設置した状態を示す。これらの図において、１は天井設置型空気調和装置の本体で、天板１１、側板１２及び底板（図示せず）から構成され、吸い込み口１４と、吹き出し口１５を有する。矢印１７は吹き出し口１５から吹き出される熱交換後の空気を示す。また、４は本体１の下方に設けられたドレンパンで、図示のように、本体１の一方の側方に突出するような大きさとされ、突出した部分の本体１の側板１２にドレンポンプ装置５を装着している。
４１はドレンパンの排水口、６は空気調和装置の制御装置を収納した制御箱である。
【０００９】
ドレンポンプ装置５は図３に示すように構成されている。即ち、ドレン水を吸い上げるドレンポンプ５１と、吸い上げられたドレン水を外部のドレン配管に接続された配管接続部５２に導く排水ホース５３と、ドレン水の水位を検出してドレンポンプ５１の運転、停止を制御するドレンセンサー５４とをポンプケース５５に収納したものである。また、ドレンパン４には本体１への取付部として図４に示すように、取付金具４３、４４、４５、４６がコーナ部あるいはその近傍の４個所にそれぞれ設けられ、これらの取付金具を本体１の４個所の取付部１０（２個所のみ図示）にネジ７（１本のみ図示）によって固定することにより、本体１の底板の下方に着脱可能に取り付けることができるようにされている。
なお、ドレンパンの４個所に設けられた取付金具４３〜４６のうち、排水口４１が配設されているコーナ部近傍に設けられた取付金具４３は、ドレンパンの周壁部上端から突出する寸法ｈが他の取付金具４４〜４６よりも高くされているため、全ての取付金具４３〜４６を本体１にネジ止めした場合、排水口４１が設けられているコーナ部のみが他のコーナ部よりも下方に下がった状態となり、この部分にドレン水が集まるようにされている。そして、図２に示すように、この部分にドレンポンプ装置５が取り付けられている。
【００１０】
このような構成とすることにより、天井空間での作業条件等に応じてドレンポンプ装置５を本体１の右側面あるいは左側面のいずれにも容易に取り付けることが可能となる。図２（ａ）は空気の吹き出し方向に対して右側面に取り付けた状態を示しているが、この構成は、ドレンパン４を図４（ａ）に示す状態で本体１に取り付けることにより可能となり、図２（ｂ）に示すように、ドレンポンプ装置５を左側面に取り付ける場合は、ドレンパン４を本体１から取り外し、図４（ａ）の状態から１８０度回転させて図４（ｂ）に示す状態とした上で本体１に取り付けることにより可能となる。
【００１１】
【発明の効果】
この発明に係る天井設置型空気調和装置は、天井空間に設置され吸い込み口と吹き出し口を有する通風路、この通風路内の上記吸い込み口と吹き出し口との中間部に設けられた送風機、この送風機の吹き出し口側に設けられた熱交換器、及びこの熱交換器の下部に位置する上記通風路の底板の下方に設けられたドレンパンを備え、上記底板は、その一部が上側に凸形状の突出部とされ、上記突出部の立ち上り部に上記ドレンパンに通ずる孔を設けたものであるため、ドレンパンのドレン水の水位が上昇しても、突出部の孔から吹き込まれる風によってドレン水の水面が波打つことがなく、従ってドレン水が機外に飛び出すようなことがない。
【図面の簡単な説明】
【図１】この発明の実施の形態１の構成を示す概略図で、（ａ）は全体構成を示し、（ｂ）はドレンパン部分を示す。
【図２】この発明の実施の形態２の構成を示す概略図で、（ａ）は熱交換された空気の吹き出し方向に対して本体の右側面にドレンポンプ装置を設置した状態を示し、（ｂ）は同じく左側面に設置した状態を示す。
【図３】ドレンポンプ装置の構成を示す概略図である。
【図４】ドレンパンの取付部の構成を示す概略図である。
【図５】従来の天井設置型空気調和装置の構成を示す概略図で、（ａ）は全体構成を示し、（ｂ）はドレンパン部分を示す。
【符号の説明】
１　本体、　　２　送風機、　　３　熱交換器、　　４　ドレンパン、　　１１　天板、　　１２　側板、　　１３　底板、　　１４　吸い込み口、　　１５吹き出し口、　　１８Ａ　突出部、　　１９Ａ　孔、　　２１　送風機台、　３１　ドレン水、　　４１　排水口。
【図１】
2004144309.tif 000003
【図２】
2004144309.tif 000004
【図３】
2004144309.tif 000005
【図４】
2004144309.tif 000006
【図５】
2004144309.tif 000007